(57)【要約】【課題】地上回線と衛星回線の通信容量の違いに応じて、ＳＤＨフレームと衛星回線フレームの変換処理を行う。【解決手段】ＳＤＨフレームを伝送する地上回線と衛星回線フレームを伝送する衛星回線とを接続し、ＳＤＨフレームと衛星回線フレームの変換処理を行う多重分離回路を備えた衛星回線接続装置において、多重分離回路は、地上回線から入力するＳＤＨフレームを構成する各階層のオーバヘッドから所定の情報を選別し、各階層のオーバヘッドの所定の情報と最下層のペイロード部を多重して衛星回線フレームを構成する多重手段と、衛星回線から入力する衛星回線フレームから各階層のオーバヘッドの所定の情報および最下層のペイロード部を分離し、分離された最下層のペイロード部に各階層のオーバヘッドの所定の情報と所要のダミー情報を挿入してＳＤＨフレームを構成する分離手段とを備える。【選択図】  図２
2018174410.tif 000002
【特許請求の範囲】
【請求項１】
ＳＤＨフレームを伝送する地上回線と衛星回線フレームを伝送する衛星回線とを接続し、ＳＤＨフレームと衛星回線フレームの変換処理を行う多重分離回路を備えた衛星回線接続装置において、
前記多重分離回路は、
前記地上回線から入力する前記ＳＤＨフレームを構成する各階層のオーバヘッドから所定の情報を選別し、各階層のオーバヘッドの所定の情報と最下層のペイロード部を多重して前記衛星回線フレームを構成する多重手段と、
前記衛星回線から入力する前記衛星回線フレームから前記各階層のオーバヘッドの所定の情報および前記最下層のペイロード部を分離し、分離された最下層のペイロード部に各階層のオーバヘッドの所定の情報と所要のダミー情報を挿入して前記ＳＤＨフレームを構成する分離手段と
を備えたことを特徴とする衛星通信接続装置。
【請求項２】
請求項１に記載の衛星通信接続装置において、
前記ＳＤＨフレームは、ＳＴＭ−１フレームであり、
前記多重分離回路は、前記各階層のオーバヘッドの所定の情報として、ＳＯＨ、ＶＣ−３ＰＯＨ、ＶＣ−１１ＰＯＨから監視制御または回線切替に必要な情報を選別する構成である
ことを特徴とする衛星通信接続装置。
【発明の詳細な説明】
【技術分野】
【０００１】
本発明は、衛星通信システムにおいて、地上回線側のＳＤＨ（Synchronous Digital Hierarchy)フレームと衛星回線側の衛星回線フレームの変換処理を行う衛星回線接続装置に関する。
【背景技術】
【０００２】
衛星通信システムは、災害対策衛星通信や離島衛星通信などのサービスの提供に利用されている。災害対策衛星通信では、被災地において特設公衆電話やインターネット接続などの通信サービスを提供している。離島衛星通信では、海底光ケーブルなど有線系インフラの整備が困難な離島に対して、電話やインターネット接続などの通信サービスを提供している。
【０００３】
衛星通信システムでは、地上回線側の通信容量に比べて衛星回線側の通信容量が大幅に少ないことから、地上回線と衛星回線とを接続する衛星回線接続装置において、通信容量の違いに応じたＳＤＨフレームと衛星回線フレームの変換処理を行っている（非特許文献１）。
【先行技術文献】
【非特許文献】
【０００４】
【非特許文献１】志鎌昌宏  他、「離島衛星通信においてネットワークシンプル化を実現する衛星回線終端装置ＳＹＳ−Ｕ」、ＮＴＴ技術ジャーナル、2014年10月
【発明の概要】
【発明が解決しようとする課題】
【０００５】
伝送／交換装置に接続される衛星回線接続装置の地上回線側は、例えばＳＴＭ−１インタフェースを用いて155.52Ｍbit/s の速度でＳＤＨフレームが入出力される。一方、衛星回線接続装置の衛星通信モデムが接続される衛星回線側は、例えばＲＳ４２２インタフェースを用いて最大でも23Ｍbit/s 程度の速度で衛星回線フレームが入出力される。したがって、本土側と離島側との間でＳＤＨフレームを使って通信を確立するためには、衛星回線接続装置において、衛星回線容量に合わせた速度でユーザデータを送受信することに加えて、ＳＤＨフレームのオーバヘッド（ＯＨ）をすべて送受信するのではなく、監視制御や回線切替等に必要な最小限のオーバヘッドのみを抽出して送受信するような処理が必要になる。
【０００６】
本発明は、地上回線と衛星回線の通信容量の違いに応じて、ＳＤＨフレームと衛星回線フレームの変換処理を行う衛星回線接続装置を提供することを目的とする。
【課題を解決するための手段】
【０００７】
本発明は、ＳＤＨフレームを伝送する地上回線と衛星回線フレームを伝送する衛星回線とを接続し、ＳＤＨフレームと衛星回線フレームの変換処理を行う多重分離回路を備えた衛星回線接続装置において、多重分離回路は、地上回線から入力するＳＤＨフレームを構成する各階層のオーバヘッドから所定の情報を選別し、各階層のオーバヘッドの所定の情報と最下層のペイロード部を多重して衛星回線フレームを構成する多重手段と、衛星回線から入力する衛星回線フレームから各階層のオーバヘッドの所定の情報および最下層のペイロード部を分離し、分離された最下層のペイロード部に各階層のオーバヘッドの所定の情報と所要のダミー情報を挿入してＳＤＨフレームを構成する分離手段とを備える。
【０００８】
本発明の衛星通信接続装置において、ＳＤＨフレームは、ＳＴＭ−１フレームであり、多重分離回路は、各階層のオーバヘッドの所定の情報として、ＳＯＨ、ＶＣ−３ＰＯＨ、ＶＣ−１１ＰＯＨから監視制御または回線切替に必要な情報を選別する構成である。
【発明の効果】
【０００９】
本発明は、ＳＤＨフレームのオーバヘッドを衛星回線フレームに収容可能なように必要最小限にスリム化して送受信することにより、ＳＤＨ回線に比べて低速の衛星回線を介してＳＤＨ通信を実現することができる。
【図面の簡単な説明】
【００１０】
【図１】本発明の衛星回線接続装置の構成例を示す図である。
【図２】多重分離回路１１の実施例構成を示す図である。
【図３】多重分離回路１１の動作例を示す図である。
【発明を実施するための形態】
【００１１】
図１は、本発明の衛星回線接続装置の構成例を示す。
図１(1) は、本発明の衛星回線接続装置が用いられる衛星通信システムの全体構成を示す。通信衛星２０を介して接続される衛星回線接続装置１０−１，１０−２では、地上のＳＤＨ回線と衛星回線の接続処理が行われる。
【００１２】
図１(2) は、衛星回線接続装置１０の一部の構成を示す。衛星回線接続装置１０は、多重分離回路１１と衛星通信モデム／ＲＦ装置１２を備える。多重分離回路１１は、ＳＤＨフレームと衛星回線フレームとの間で所要の多重分離処理を行う。衛星通信モデム／ＲＦ装置１２は、多重分離回路１１で入出力される衛星回線フレームと、通信衛星２０との間で送受信される無線信号の変換処理を行う。
【００１３】
図２は、多重分離回路１１の実施例構成を示す。
図２において、ＳＤＨフレームから衛星回線フレームを構成する処理と、衛星回線フレームからＳＤＨフレームを構成する処理は、逆の処理手順となる。
【００１４】
ＳＤＨフレームは、その多重化構成に従ってレイヤ１信号選別部１１１−１、レイヤ２信号選別部１１１−２、…、レイヤＮ信号選別部１１１−Ｎに順次入力する。レイヤ１信号選別部１１１−１は、レイヤ１信号を入力してレイヤ１選別信号とレイヤ２信号に分解して出力し、残りをレイヤ１廃棄信号として廃棄する。レイヤ２信号は、次のレイヤ２信号選別部１１１−２に入力する。以下同様に、レイヤＮ信号選別部１１１−Ｎは、レイヤ（Ｎ−１）信号選別部１１１−（Ｎ−１）からレイヤＮ信号を入力し、レイヤＮ選別信号とレイヤＮ抽出信号に分解して出力し、残りをレイヤＮ廃棄信号として廃棄する。レイヤ１選別信号〜レイヤＮ選別信号とレイヤＮ抽出信号は、信号多重部１１２で多重されて衛星回線フレームとして出力される。
【００１５】
衛星回線フレームは、信号分離部１１３でレイヤ１選別信号〜レイヤＮ選別信号とレイヤＮ抽出信号に分離される。レイヤＮ選別信号とレイヤＮ抽出信号はレイヤＮ信号構成部１１４−Ｎに入力し、レイヤＮ挿入信号と合わせてレイヤＮ信号が構成され、次のレイヤ（Ｎ−１）信号構成部１１４−（Ｎ−１）に入力する。同様に、レイヤ２信号構成部１１４−２から出力されるレイヤ２信号と、信号分離部１１３で分離されたレイヤ１選別信号はレイヤ１信号構成部１１４−１に入力し、レイヤ１挿入信号と合わせてレイヤ１信号が構成される。ここで、レイヤ１挿入信号〜レイヤＮ挿入信号は、レイヤ１廃棄信号〜レイヤＮ廃棄信号に相当するダミー信号である。
【００１６】
以下、図３に示すＳＴＭ−１フレームを例に、多重分離回路１１でＳＤＨフレームから衛星回線フレームを構成する動作例を示す。ここでは、Ｎ＝３とする。
【００１７】
レイヤ１信号に相当するＳＴＭ−１フレームは、以下のように構成される。
ＳＴＭ−１…ＳＯＨ、ＡＵ−３（＃１）〜ＡＵ−３（＃３）
ＡＵ−３  …ＡＵ−３ポインタ、ＶＣ−３
ＶＣ−３  …ＶＣ−３ＰＯＨ、複数のＴＵ−１１
ＴＵ−１１…ＴＵ−１１ポインタ、ＶＣ−１１
ＶＣ−１１…ＶＣ−１１ＰＯＨ、Ｃ−１１
【００１８】
レイヤ１信号選別部１１１−１は、レイヤ１信号としてＳＴＭ−１フレームを入力し、レイヤ１選別信号としてＳＯＨを分離し、レイヤ２信号としてＡＵ−３（＃１）からＡＵ−３ポインタを除くＶＣ−３を分離し、残りのＡＵ−３（＃２），ＡＵ−３（＃３）をレイヤ１廃棄信号として廃棄する。
【００１９】
レイヤ２信号選別部１１１−２は、レイヤ２信号としてＶＣ−３を入力し、レイヤ２選別信号としてＶＣ−３ＰＯＨを分離し、レイヤ３信号としてＴＵ−１１からＴＵ−１１ポインタを除くＶＣ−１１を分離し、使用しないＴＵ−１１をレイヤ２廃棄信号として廃棄する。
【００２０】
レイヤ３信号選別部１１１−３は、レイヤ３信号としてＶＣ−１１を入力し、レイヤ３選別信号としてＶＣ−１１ＰＯＨを分離し、レイヤ３抽出信号としてＣ−１１を分離し、廃棄する信号はない。
【００２１】
ＳＴＭ−１フレームから分離されたＳＯＨと、ＶＣ−３から分離されたＶＣ−３ＰＯＨと、ＶＣ−１１から分離されたＶＣ−１１ＰＯＨおよびＣ−１１は、信号多重部１１２に入力される。ここでは、ＳＯＨとＶＣ−３ＰＯＨから必要最小限の情報を取り出し、Ｃ−１１の一部をペイロードに入れたパス（ＯＨ収容パス）を生成する。また、ＶＣ−１１ＰＯＨから必要最小限の情報を取り出し、Ｃ−１１の一部をペイロードに入れたパス（ＯＨ従属パス）を生成する。また、Ｃ−１１の全部は専用線収容パスとして生成される。各パスは、図３に示すＭＵＸでＲＳ４２２インタフェースの各ＣＨにそれぞれ収納される。
【００２２】
衛星回線フレームからＳＤＨフレームを構成する工程は、信号分離部１１３およびレイヤＮ信号構成部１１４−Ｎ〜レイヤ１信号構成部１１４−１で、図３に示す工程と逆の工程を行う。ここで、レイヤ１選別信号はＳＯＨであり、レイヤ２選別信号はＶＣ−３ＰＯＨであり、レイヤ３選別信号およびレイヤ３抽出信号はＶＣ−１１ＰＯＨおよびＣ−１１である。レイヤ１挿入信号はＡＵ−３（＃２），ＡＵ−３（＃３）に相当するダミー信号であり、レイヤ２挿入信号はＴＵ−１１に相当するダミー信号である。これにより、レイヤ３信号としてＶＣ−１１が構成され、レイヤ２信号としてＶＣ−３が構成され、レイヤ１信号としてＳＴＭ−１が構成される。
【００２３】
なお、ＳＤＨフレームは、一般にＳＴＭ−ｎフレーム（ｎ＝０，１，４，８，16，64， 256，…）に対応し、本発明はそれぞれの多重化構成に対して、衛星回線フレームに収容可能なようにオーバヘッドを必要最小限にスリム化して送受信することにより、衛星回線を介してＳＤＨ通信を実現することができる。
【符号の説明】
【００２４】
１０  衛星回線接続装置
１１  多重分離回路
１２  衛星通信モデム／ＲＦ装置
２０  通信衛星
１１１−ｉ  レイヤｉ信号選別部
１１２      信号多重部
１１３      信号分離部
１１４−ｉ  レイヤｉ信号構成部
【図１】
2018174410.tif 000003
【図２】
2018174410.tif 000004
【図３】
2018174410.tif 000005
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
ＳＤＨフレームを伝送する地上回線と衛星回線フレームを伝送する衛星回線とを接続し、ＳＤＨフレームと衛星回線フレームの変換処理を行う多重分離回路を備えた衛星回線接続装置において、
前記多重分離回路は、
前記地上回線から入力する前記ＳＤＨフレームを構成する各階層のオーバヘッドから監視制御または回線切替に必要な情報として、レイヤ１選別信号としてＳＯＨを分離し、レイヤ２信号として分離したＶＣ−３からレイヤ２選別信号としてＶＣ−３ＰＯＨを分離し、レイヤ３信号として分離したＶＣ−１１からレイヤ３選別信号としてＶＣ−１１ＰＯＨを分離し、各階層のオーバヘッドの各情報とレイヤ３抽出信号であるＣ−１１を多重して前記衛星回線フレームを構成する多重手段と、
前記衛星回線から入力する前記衛星回線フレームから前記各階層の前記ＳＯＨ、前記ＶＣ−３ＰＯＨ、前記ＶＣ−１１ＰＯＨおよび前記Ｃ−１１を分離し、分離された前記Ｃ−１１に各階層のオーバヘッドの各情報と所要のダミー情報を挿入して前記ＳＤＨフレームを構成する分離手段と
を備えたことを特徴とする衛星通信接続装置。
【手続補正２】
【補正対象書類名】明細書
【補正対象項目名】０００７
【補正方法】変更
【補正の内容】
【０００７】
本発明は、ＳＤＨフレームを伝送する地上回線と衛星回線フレームを伝送する衛星回線とを接続し、ＳＤＨフレームと衛星回線フレームの変換処理を行う多重分離回路を備えた衛星回線接続装置において、多重分離回路は、地上回線から入力するＳＤＨフレームを構成する各階層のオーバヘッドから監視制御または回線切替に必要な情報として、レイヤ１選別信号としてＳＯＨを分離し、レイヤ２信号として分離したＶＣ−３からレイヤ２選別信号としてＶＣ−３ＰＯＨを分離し、レイヤ３信号として分離したＶＣ−１１からレイヤ３選別信号としてＶＣ−１１ＰＯＨを分離し、各階層のオーバヘッドの各情報とレイヤ３抽出信号であるＣ−１１を多重して衛星回線フレームを構成する多重手段と、衛星回線から入力する衛星回線フレームから各階層のＳＯＨ、ＶＣ−３ＰＯＨ、ＶＣ−１１ＰＯＨおよびＣ−１１を分離し、分離されたＣ−１１に各階層のオーバヘッドの各情報と所要のダミー情報を挿入してＳＤＨフレームを構成する分離手段とを備える。
【手続補正３】
【補正対象書類名】明細書
【補正対象項目名】０００８
【補正方法】削除
【補正の内容】